(57)【要約】      （修正有）【課題】画像データの誤出力を防止することができる情報処理装置を提供すること。【解決手段】画像データを受信する受信手段４１０と、画像データに付加されている特定信号の有無に基づいて、出力画像データを決定する決定手段４３０と、出力画像データを出力する出力手段４５０と、を有する。決定手段は、特定信号がそれぞれ付加された複数の画像データを受信手段が受信した場合に、複数の画像データの各送信元に対して予め設定された優先順位に基づいて、画像データの中から出力画像データを決定する。【選択図】図５
2014225863.tif 000002
【特許請求の範囲】
【請求項１】
画像データを受信する受信手段と、
前記画像データに付加されている特定信号の有無に基づいて、出力画像データを決定する決定手段と、
前記出力画像データを出力する出力手段とを有する
ことを特徴とする情報処理装置。
【請求項２】
前記決定手段は、前記特定信号がそれぞれ付加された複数の画像データを前記受信手段が受信した場合に、前記複数の画像データの各送信元に対して予め設定された優先順位に基づいて、前記複数の画像データの中から前記出力画像データを決定する
ことを特徴とする請求項１に記載の情報処理装置。
【請求項３】
前記決定手段は、前記特定信号がそれぞれ付加された複数の画像データを前記受信手段が受信した場合に、前記特定信号を受信した順番に基づいて、前記複数の画像データの中から前記出力画像データを決定する
ことを特徴とする請求項１に記載の情報処理装置。
【請求項４】
画像データを合成して合成画像データを生成する合成手段を有し、
前記決定手段は、前記特定信号がそれぞれ付加された複数の画像データを前記受信手段が受信した場合に、前記合成手段により前記複数の画像データから生成される合成画像データを前記出力画像データに決定する
ことを特徴とする請求項１に記載の情報処理装置。
【請求項５】
画像データを記憶する記憶手段を有し、
前記決定手段は、前記特定信号が付加されていない画像データを前記受信手段が受信した場合に、前記合成手段により前記記憶手段に記憶されている画像データと前記特定信号が付加されていない画像データとから生成される合成画像データを前記出力画像データに決定する
ことを特徴とする請求項４に記載の情報処理装置。
【請求項６】
画像データを受信する受信手段と、
前記画像データに付加されている特定信号の有無に基づいて、出力画像データを決定する決定手段と、
前記出力画像データを表示する表示手段とを有する
ことを特徴とする画像表示装置。
【請求項７】
入力装置と情報処理装置とが接続された情報処理システムであって、
前記入力装置は、
画像データに特定信号を付加する特定信号付加手段を有し、
前記情報処理装置は、
前記入力装置から前記画像データを受信する受信手段と、
前記画像データに付加されている特定信号の有無に基づいて、出力画像データを決定する決定手段と、
前記出力画像データを出力する出力手段とを有する
ことを特徴とする情報処理システム。
【請求項８】
画像データを受信する受信ステップと、
前記画像データに付加されている特定信号の有無に基づいて、出力画像データを決定する決定ステップと、
前記出力画像データを出力する出力ステップとを有する
ことを特徴とする情報処理方法。
【発明の詳細な説明】
【技術分野】
【０００１】
本発明は、情報処理装置、画像表示装置、情報処理システム及び情報処理方法に関する。
【背景技術】
【０００２】
例えばプロジェクタなどを用いてスクリーンに画像を表示して行われるプレゼンテーションにおいて、資料の切り替え時などに、ＰＣのデスクトップ画面や誤って開いた資料が表示されてしまう場合がある。デスクトップ画面や誤って開いた資料に重要な機密情報が含まれる場合には、プレゼンテーションの参加者にその機密情報が流出することとなる。
【０００３】
上記したような意図しない情報の流出を防止するために、パスワードを発行し、接続されたＰＣからパスワードが入力された場合に、ＰＣとの通信及びＰＣから送信される画像の投影を開始するプロジェクタが開示されている（例えば、特許文献１参照）。
【発明の概要】
【発明が解決しようとする課題】
【０００４】
しかしながら、上記したプロジェクタでは、プレゼンテーションを開始する度に毎回パスワードを入力する必要があり、ユーザに負担を与え、プレゼンテーションの円滑な進行を妨げる可能性がある。
【０００５】
本発明は上記に鑑みてなされたものであって、画像データの誤出力を防止することができる情報処理装置を提供することを目的とする。
【課題を解決するための手段】
【０００６】
本発明の一態様の情報処理装置によれば、画像データを受信する受信手段と、前記画像データに付加されている特定信号の有無に基づいて、出力画像データを決定する決定手段と、前記出力画像データを出力する出力手段と、を有する。
【発明の効果】
【０００７】
本発明の実施形態によれば、画像データの誤出力を防止することができる情報処理装置を提供できる。
【図面の簡単な説明】
【０００８】
【図１】実施形態の全体構成を例示する図である。
【図２】実施形態における端末のハードウェア構成を例示する図である。
【図３】実施形態における情報処理装置のハードウェア構成を例示する図である。
【図４】実施形態におけるプロジェクタのハードウェア構成を例示する図である。
【図５】実施形態における機能構成を例示する図である。
【図６】実施形態における特定信号付加処理のフローチャートを例示する図である。
【図７】実施形態における画像データ出力処理１のフローチャートを例示する図である。
【図８】実施形態における画像データ出力処理１による画像表示例を示す図である。
【図９】実施形態における画像データ出力処理２のフローチャートを例示する図である。
【図１０】実施形態における画像データ出力処理２による画像表示例を示す図である。
【図１１】実施形態における画像データ出力処理３のフローチャートを例示する図である。
【図１２】実施形態における画像データ出力処理３による画像表示例を示す図である。
【図１３】実施形態における画像データ出力処理４のフローチャートを例示する図である。
【図１４】実施形態における画像データ出力処理４による画像表示例を示す図である。
【図１５】実施形態における画像データ出力処理５のフローチャートを例示する図である。
【図１６】実施形態における画像データ出力処理５による画像表示例を示す図である。
【図１７】実施形態における全体構成を例示する図である。
【図１８】実施形態における機能構成を例示する図である。
【発明を実施するための形態】
【０００９】
以下、図面を参照して発明を実施するための形態について説明する。各図面において、同一構成部分には同一符号を付し、重複した説明を省略する場合がある。
【００１０】
＜全体構成＞
図１は、実施形態の全体構成を例示する図である。
【００１１】
図１に例示する構成では、クラウド１００、ＰＣ端末２００又はタブレット端末３００から情報処理装置４００に画像データが送信され、情報処理装置４００における処理を経て出力される画像データが、プロジェクタ５００によりスクリーン６００に表示される。
【００１２】
クラウド１００、ＰＣ端末２００、タブレット端末３００は、入力装置の一例であり、情報処理装置４００に画像データを送信する。なお、入力装置としては、画像データを送信可能であればよく、これらに限るものではない。また、情報処理装置４００に接続される入力装置の数は、１つ又は複数であってもよい。
【００１３】
プロジェクタ５００は、画像表示装置の一例であり、情報処理装置４００から出力される画像データをスクリーン６００に投影する。なお、画像表示装置としては、例えば液晶ディスプレイ、有機ＥＬディスプレイなどであってもよい。
【００１４】
なお、クラウド１００、ＰＣ端末２００及びタブレット端末３００と、情報処理装置４００と間の各接続は、有線及び無線の何れであってもよく、有線接続と無線接続とが混在していてもよい。また、情報処理装置４００と、プロジェクタ５００との接続は、有線及び無線の何れであってもよい。
【００１５】
＜ハードウェア構成＞
図２は、実施形態における入力装置の一例としてのＰＣ端末２００のハードウェア構成を例示する図である。
【００１６】
図２に示すように、ＰＣ端末２００は、ＣＰＵ２０１、ＨＤＤ２０２、ＲＯＭ２０３、ＲＡＭ２０４、入力装置２０５、表示装置２０６、ネットワークＩ／Ｆ部２０７、記録媒体Ｉ／Ｆ部２０８を有し、それぞれがバスＢで相互に接続されている。
【００１７】
ＲＯＭ２０３には、各種のプログラムやプログラムによって利用されるデータ等が記憶されている。ＲＡＭ２０４は、プログラムをロードするための記憶領域や、ロードされたプログラムのワーク領域等として用いられる。ＣＰＵ２０１は、ＲＡＭ２０４にロードされたプログラムを処理することにより、各種の機能を実現する。ＨＤＤ２０２には、プログラムやプログラムが利用する各種のデータ等が記憶される。
【００１８】
入力装置２０５は、例えばキーボードやマウス等を含む。表示装置２０６は、例えばディスプレイ等を含み、ＰＣ端末２００が保持するデータ等を表示する。
【００１９】
ネットワークＩ／Ｆ部２０７は、ＬＡＮ等のネットワーク（有線又は無線の別は問わない）に接続するためのハードウェアである。記録媒体Ｉ／Ｆ部２０８は、記録媒体とのインタフェースである。ＰＣ端末２００は、記録媒体Ｉ／Ｆ部２０８を介して記録媒体２０９の読み取り及び／又は書き込みを行うことができる。記録媒体２０９にはフレキシブルディスク、ＣＤ、ＤＶＤ（Digital Versatile Disk）、ＳＤメモリカード（SD Memory card）、ＵＳＢメモリ（Universal Serial Bus memory）等がある。
【００２０】
なお、クラウド１００に含まれるサーバ端末、タブレット端末３００は、ＰＣ端末２００と同様の構成を有し、以下で説明する機能を有する。
【００２１】
図３は、実施形態における情報処理装置４００のハードウェア構成を例示する図である。
【００２２】
図３に示すように、情報処理装置４００は、ＣＰＵ４０１、ＨＤＤ４０２、ＲＯＭ４０３、ＲＡＭ４０４、ネットワークＩ／Ｆ部４０５、記録媒体Ｉ／Ｆ部４０６を有し、それぞれがバスＢで相互に接続されている。
【００２３】
ＲＯＭ４０３には、各種のプログラムやプログラムによって利用されるデータ等が記憶されている。ＲＡＭ４０４は、プログラムをロードするための記憶領域や、ロードされたプログラムのワーク領域等として用いられる。ＣＰＵ４０１は、ＲＡＭ４０４にロードされたプログラムを処理することにより、各種の機能を実現する。ＨＤＤ４０２には、プログラムやプログラムが利用する各種のデータ等が記憶される。
【００２４】
ネットワークＩ／Ｆ部４０５は、ＬＡＮ等のネットワーク（有線又は無線の別は問わない）に接続するためのハードウェアである。記録媒体Ｉ／Ｆ部４０６は、記録媒体とのインタフェースである。情報処理装置４００は、記録媒体Ｉ／Ｆ部４０６を介して記録媒体４０７の読み取り及び／又は書き込みを行うことができる。記録媒体４０７にはフレキシブルディスク、ＣＤ、ＤＶＤ（Digital Versatile Disk）、ＳＤメモリカード（SD Memory card）、ＵＳＢメモリ（Universal Serial Bus memory）等がある。
【００２５】
図４は、実施形態におけるプロジェクタ５００のハードウェア構成を例示する図である。
【００２６】
図４に示すように、プロジェクタ５００は、ＣＰＵ５０１，ＲＡＭ５０２，ＲＯＭ５０３，Ｉ／Ｆ部５０４、ネットワークＩ／Ｆ部５０５、記録媒体Ｉ／Ｆ部５０６、映像ケーブルＩ／Ｆ部５０７、光学エンジン５０８、投影レンズ５０９を有する。
【００２７】
ＲＯＭ５０３には、各種のプログラムやプログラムによって利用されるデータ等が記憶されている。ＲＡＭ５０２は、プログラムをロードするための記憶領域や、ロードされたプログラムのワーク領域等として用いられる。ＣＰＵ５０１は、ＲＡＭ５０２にロードされたプログラムを処理することにより、各種の機能を実現する。
【００２８】
Ｉ／Ｆ部５０４は、周辺バス、ＤＭＡＣ（Direct Memory Access）、バスコントローラなどであり、ネットワークＩ／Ｆ部５０５、記録媒体Ｉ／Ｆ部５０６及び映像ケーブルＩ／Ｆ部５０７が受信したデータの優先度を調停してＲＡＭ５０２に記憶させる。また、ネットワークＩ／Ｆ部５０５、記録媒体Ｉ／Ｆ部５０６及び映像ケーブルＩ／Ｆ部５０７との間でデータの入出力を行う。
【００２９】
ネットワークＩ／Ｆ部５０５は、ＬＡＮ等のネットワーク（有線又は無線の別は問わない）に接続するためのハードウェアである。記録媒体Ｉ／Ｆ部５０６は、記録媒体とのインタフェースである。プロジェクタ５００は、記録媒体Ｉ／Ｆ部５０６を介して記録媒体５１０の読み取り及び／又は書き込みを行うことができる。記録媒体５１０にはフレキシブルディスク、ＣＤ、ＤＶＤ（Digital Versatile Disk）、ＳＤメモリカード（SD Memory card）、ＵＳＢメモリ（Universal Serial Bus memory）等がある。映像ケーブルＩ／Ｆ部５０７は、映像ケーブル（アナログ用又はデジタル用）から映像信号を取得するインタフェースであり、プロジェクタ５００は、映像ケーブルＩ／Ｆ部５０７を介して外部機器から映像信号を取得して投影することができる。
【００３０】
光学エンジン５０８は、例えばマイクロミラーを使用するＤＬＰ方式で映像を投影する。なお、映像の投影方法は、例えば透過型液晶を使用する３ＬＣＤ方式、反射型液晶を使用するＬＣＯＳ方式などの他の方式であってもよい。投影レンズ５０９は、例えばプロジェクタ５００の使用条件に応じた焦点距離、明るさ、画角などを有する固定焦点レンズ、ズームレンズなどを含んで構成されている。
【００３１】
＜機能構成＞
図５は、実施形態における機能構成を例示する図である。
【００３２】
図５に示すように、クラウド１００、ＰＣ端末２００、タブレット端末３００は、それぞれ特定信号付加部１１０，２１０，３１０を有する。特定信号付加部１１０，２１０，３１０は、それぞれプロジェクタ５００に表示させる画像データに、例えばフラグのような信号である特定信号を付加して情報処理装置４００に送信する。特定信号付加部１１０，２１０，３１０は、画像データの送信開始と同時に特定信号を付加してもよく、画像データの送信中に特定信号の付加を開始又は停止してもよい。
【００３３】
情報処理装置４００は、受信部４１０、記憶部４２０、決定部４３０、合成部４４０、出力部４５０を有し、クラウド１００、ＰＣ端末２００及びタブレット端末３００といった入力装置と情報処理システム７００を構成する。
【００３４】
受信部４１０は、クラウド１００、ＰＣ端末２００、タブレット端末３００から送信される画像データを受信する。受信部４１０が有する特定信号解釈部４１１は、受信した画像データに、特定信号が付加されているか否かを判定する。
【００３５】
記憶部４２０は、予め設定される優先順位情報や、画像データなどを記憶する。優先順位情報は、例えば特定信号が付加された複数の画像データを受信した場合に、決定部４３０がプロジェクタ５００に出力する画像データを決定する判断基準になる情報である。優先順位は、例えば情報処理装置４００に接続される機器（本実施形態では、クラウド１００、ＰＣ端末２００、タブレット端末３００）や、アプリケーション及びソフトウェアの種類などに対して予め設定される。
【００３６】
決定部４３０は、受信部４１０が画像データを受信した場合に、特定信号の有無や、優先順位情報に基づいて、プロジェクタ５００に出力する画像データを決定する。決定部４３０が出力する画像データを決定する方法については後述する。合成部４４０は、決定部４３０によって複数の画像データを合成して出力すると決定された場合には、受信された複数の画像データを合成する。決定部４３０及び合成部４４０は、例えばＲＯＭ４０３に記憶されたプログラムと、ＣＰＵ４０１、ＲＡＭ４０４等のハードウェアとの協働によって実現される機能である。
【００３７】
出力部４５０は、決定部４３０によって出力すると決定された画像データ、合成部４４０により合成された画像データを、プロジェクタ５００に出力する。
【００３８】
プロジェクタ５００は、光学エンジン５０８、投影レンズ５０９などで構成される投影部５１１を有する。投影部５１１は、情報処理装置４００から出力される画像データをスクリーン６００に投影して表示する。
【００３９】
＜特定信号付加処理＞
図６は、実施形態における特定信号付加処理のフローチャートを例示する図である。クラウド１００、ＰＣ端末２００、タブレット端末３００では、以下で説明する特定信号付加処理を実施した後に、画像データを情報処理装置４００に送信する。
【００４０】
クラウド１００、ＰＣ端末２００、タブレット端末３００において、プロジェクタ５００に画像データを送信する場合には、まずステップＳ１１にて、送信する画像データが生成される。次にステップＳ１２にて、画像データに特定信号を付加するか否かが判断され、特定信号を付加する場合には、ステップＳ１３にて、画像データに特定信号が付加される。続いてステップＳ１４にて、特定信号が付加された画像データ又は特定信号が付加されていない画像データが、情報処理装置４００に送信される。
【００４１】
特定信号付加処理は、プロジェクタ５００に画像データを送信する場合において連続的に実行されており、特定信号の付加は、画像データの送信開始と同時に行われてもよく、画像データの送信中に開始又は停止してもよい。
【００４２】
＜画像データ出力処理＞
次に、情報処理装置４００における画像データ出力処理について説明する。情報処理装置４００は、クラウド１００、ＰＣ端末２００、タブレット端末３００などの入力装置から画像データを受信すると、以下で説明する何れかの画像データ出力処理を実行し、プロジェクタ５００に画像データを出力する。
【００４３】
（画像データ出力処理１）
図７は、実施形態における画像データ出力処理１のフローチャートを例示する図である。画像データ出力処理１は、情報処理装置４００にクラウド１００、ＰＣ端末２００及びタブレット端末３００の何れか１つから画像データが送信された場合の処理である。
【００４４】
情報処理装置４００に画像データが送信されると、まずステップＳ１０１にて、受信部４１０が画像データを受信し、ステップＳ１０２にて、特定信号解釈部４１１が特定信号の有無を判定する。画像データに特定信号が付加されている場合（ステップＳ１０２：ＹＥＳ）には、ステップＳ１０３にて、決定部４３０が受信された画像データを出力すると決定し、出力部４５０が画像データをプロジェクタ５００に出力する。
【００４５】
次に、ステップＳ１０４にて、受信部４１０が引き続き画像データを受信している場合には、ステップＳ１０２からの処理が再度実行される。クラウド１００、ＰＣ端末２００、タブレット端末３００からの画像データの送信が停止され、受信部４１０が画像データを受信していない場合（ステップＳ１０４：ＮＯ）には、画像データ出力処理１を終了する。
【００４６】
以上で説明した様に、画像データ出力処理１により、例えばＰＣ端末２００から情報処理装置４００に特定信号が付加されていない画像データが送信された場合には、情報処理装置４００からプロジェクタ５００に画像データが出力されない。したがって、この場合には、図８（Ａ）に示すように、ＰＣ端末２００に表示されている画像はスクリーン６００に投影されない。
【００４７】
また、例えばＰＣ端末２００から情報処理装置４００に特定信号が付加された画像データが送信された場合には、情報処理装置４００からプロジェクタ５００に画像データが出力される。したがって、この場合には、図８（Ｂ）に示すように、ＰＣ端末２００に表示されている画像が、プロジェクタ５００によりスクリーン６００に投影される。
【００４８】
（画像データ出力処理２）
図９は、実施形態における画像データ出力処理２のフローチャートを例示する図である。画像データ出力処理２では、情報処理装置４００にクラウド１００、ＰＣ端末２００及びタブレット端末３００のうちの複数から画像データが送信された場合に、予め定められた優先順位に基づいて画像データが出力される。
【００４９】
情報処理装置４００に画像データが送信されると、まずステップＳ２０１にて、受信部４１０が画像データを受信し、ステップＳ２０２にて、特定信号解釈部４１１が特定信号の有無を判定する。また、ステップＳ２０３では、特定信号解釈部４１１が、特定信号が付加された画像データの数を確認する。
【００５０】
特定信号が付加された画像データが複数ある場合（ステップＳ２０３：ＹＥＳ）には、ステップＳ２０４にて、決定部４３０が記憶部４２０から優先順位情報を取得して優先順位を判断する。優先順位は、例えば情報処理装置４００に接続されているクラウド１００、ＰＣ端末２００、タブレット端末３００に対して予め設定され、優先順位情報として記憶部４２０に記憶されている。
【００５１】
ステップＳ２０５では、決定部４３０が、取得した優先順位情報に基づいてプロジェクタ５００に出力する画像データを決定する。例えばＰＣ端末２００及びタブレット端末３００から情報処理装置４００に画像データが送信され、ＰＣ端末２００の優先順位がタブレット端末３００よりも高い場合、決定部４３０は、ＰＣ端末２００の画像データをプロジェクタ５００に出力する画像データとして決定する。
【００５２】
なお、特定信号が付加された画像データが１つの場合（ステップＳ２０３：ＮＯ）には、決定部４３０は、特定信号が付加された１つの画像データを、プロジェクタ５００に出力する画像データとして決定する。
【００５３】
次にステップＳ２０６にて、出力部４５０が、決定部４３０によりプロジェクタ５００に出力すると決定された画像データをプロジェクタ５００に出力する。次に、ステップＳ２０７にて、受信部４１０が引き続き画像データを受信している場合には、ステップＳ２０２からの処理が再度実行される。クラウド１００、ＰＣ端末２００、タブレット端末３００からの画像データの送信が停止され、受信部４１０が画像データを受信していない場合（ステップＳ２０７：ＮＯ）には、画像データ出力処理２を終了する。
【００５４】
図１０は、画像データ出力処理２による画像表示例を示す図である。図１０に示す例では、情報処理装置４００にＰＣ端末２００Ａ〜２００Ｄが接続され、ＰＣ端末２００Ａ〜２００Ｄそれぞれから情報処理装置４００に画像データが送信されている。
【００５５】
ＰＣ端末２００Ａ〜２００Ｄから情報処理装置４００に送信される画像データに特定信号が付加されていない場合には、情報処理装置４００からプロジェクタ５００に画像データは出力されない。したがって、この場合には、図１０（Ａ）に示すように、ＰＣ端末２００Ａ〜２００Ｄに表示されている画像はスクリーン６００に投影されない。
【００５６】
ＰＣ端末２００Ａ〜２００Ｄから情報処理装置４００に送信される画像データに特定信号が付加されている場合には、決定部４３０により優先順位が判断され、優先順位が最も高い機器から出力された画像データがプロジェクタ５００に出力される。図１０（Ｂ）に示す例では、ＰＣ端末２００Ａ〜２００Ｄの中では、ＰＣ端末２００Ｂの優先順位が最も高く、ＰＣ端末２００Ｂに表示されている画像が、プロジェクタ５００によりスクリーン６００に投影されている。
【００５７】
（画像データ出力処理３）
図１１は、実施形態における画像データ出力処理３のフローチャートを例示する図である。画像データ出力処理３では、情報処理装置４００にクラウド１００、ＰＣ端末２００及びタブレット端末３００のうちの複数から画像データが送信された場合に、特定信号を受信した順番に基づいて出力する画像データが決定される。
【００５８】
情報処理装置４００に画像データが送信されると、まずステップＳ３０１にて、受信部４１０が画像データを受信し、ステップＳ３０２にて、特定信号解釈部４１１が特定信号の有無を判定する。また、ステップＳ３０３では、特定信号解釈部４１１が、特定信号が付加された画像データの数を確認する。
【００５９】
特定信号が付加された画像データが複数ある場合（ステップＳ３０３：ＹＥＳ）には、ステップＳ３０４にて、特定信号解釈部４１１が、画像データに付加された特定信号の受信順を判定する。次にステップＳ３０５では、決定部４３０が、特定信号を後に受信した画像データをプロジェクタ５００に出力する画像データとして決定する。
【００６０】
例えばＰＣ端末２００から特定信号が付加された画像データが情報処理装置４００に送信された後に、タブレット端末３００から特定信号が付加された画像データが情報処理装置４００に送信された場合を考える。この場合には、決定部４３０は、タブレット端末３００から画像データが送信されるまでは、ＰＣ端末２００から送信された画像データを出力する画像データとして決定する。また、タブレット端末３００から画像データが送信された後は、タブレット端末３００から送信された画像データを出力する画像データとして決定することとなる。
【００６１】
なお、特定信号が付加された画像データが１つの場合（ステップＳ３０３：ＮＯ）には、決定部４３０は、特定信号が付加された１つの画像データを、プロジェクタ５００に出力する画像データとして決定する。
【００６２】
次にステップＳ３０６にて、出力部４５０が、決定部４３０によりプロジェクタ５００に出力すると決定された画像データをプロジェクタ５００に出力する。次に、ステップＳ３０７にて、受信部４１０が引き続き画像データを受信している場合には、ステップＳ３０２からの処理が再度実行される。クラウド１００、ＰＣ端末２００、タブレット端末３００からの画像データの送信が停止され、受信部４１０が画像データを受信していない場合（ステップＳ３０７：ＮＯ）には、画像データ出力処理３を終了する。
【００６３】
図１２は、画像データ出力処理３による画像表示例を示す図である。図１２に示す例では、情報処理装置４００にＰＣ端末２００Ａ，２００Ｂが接続され、ＰＣ端末２００Ａ，２００Ｂそれぞれから情報処理装置４００に画像データが送信されている。
【００６４】
ＰＣ端末２００Ａ，２００Ｂから情報処理装置４００に送信される画像データに特定信号が付加されていない場合には、情報処理装置４００からプロジェクタ５００に画像データは出力されない。したがって、この場合には、図１２（Ａ）に示すように、ＰＣ端末２００Ａ，２００Ｂに表示されている画像はスクリーン６００に投影されない。
【００６５】
ＰＣ端末２００Ａ，２００Ｂから送信される画像データのうち、ＰＣ端末２００Ａから送信される画像データに特定信号が付加された場合には、情報処理装置４００はＰＣ端末２００Ａから送信される画像データをプロジェクタ５００に出力する。したがって、この場合には、図１２（Ｂ）に示すように、ＰＣ端末２００Ａに表示されている画像が、プロジェクタ５００によりスクリーン６００に投影される。
【００６６】
また、図１２（Ｂ）に示す状態から、ＰＣ端末２００Ｂから送信される画像データに特定信号が付加された場合には、情報処理装置４００は、後に特定信号を受信したＰＣ端末２００Ｂの画像データをプロジェクタ５００に出力する。したがって、この場合には、図１２（Ｃ）に示すように、ＰＣ端末２００Ｂに表示されている画像が、プロジェクタ５００によりスクリーン６００に投影される。
【００６７】
なお、情報処理装置４００が、後に特定信号が付加された画像データをプロジェクタ５００に出力する例について説明したが、先に特定信号が付加された画像データをプロジェクタ５００に出力し続けるような設定であってもよい。
【００６８】
（画像データ出力処理４）
図１３は、実施形態における画像データ出力処理４のフローチャートを例示する図である。画像データ出力処理４では、情報処理装置４００にクラウド１００、ＰＣ端末２００及びタブレット端末３００のうちの複数から特定信号が付加された画像データが送信された場合に、合成された画像データが出力される。
【００６９】
情報処理装置４００に画像データが送信されると、まずステップＳ４０１にて、受信部４１０が画像データを受信し、ステップＳ４０２にて、特定信号解釈部４１１が特定信号の有無を判定する。また、ステップＳ４０３では、特定信号解釈部４１１が、特定信号が付加された画像データの数を確認する。
【００７０】
特定信号が付加された画像データが複数ある場合（ステップＳ４０３：ＹＥＳ）には、決定部４３０が合成部４４０により合成された画像データを出力すると決定し、ステップＳ４０４にて、合成部４４０が特定信号が付加された複数の画像データを合成する。
【００７１】
なお、特定信号が付加された画像データが１つの場合（ステップＳ４０３：ＮＯ）には、決定部４３０は、特定信号が付加された１つの画像データを、プロジェクタ５００に出力する画像データとして決定する。
【００７２】
次にステップＳ４０５にて、出力部４５０が、決定部４３０により決定された画像データをプロジェクタ５００に出力する。次に、ステップＳ４０６にて、受信部４１０が引き続き画像データを受信している場合には、ステップＳ４０２からの処理が再度実行される。クラウド１００、ＰＣ端末２００、タブレット端末３００からの画像データの送信が停止され、受信部４１０が画像データを受信していない場合（ステップＳ４０６：ＮＯ）には、画像データ出力処理４を終了する。
【００７３】
図１４は、画像データ出力処理４による画像表示例を示す図である。図１４に示す例では、情報処理装置４００にＰＣ端末２００Ａ〜２００Ｄが接続され、ＰＣ端末２００Ａ〜２００Ｄそれぞれから情報処理装置４００に画像データが送信されている。
【００７４】
ＰＣ端末２００Ａ〜２００Ｄから情報処理装置４００に送信される画像データに特定信号が付加されていない場合には、情報処理装置４００からプロジェクタ５００に画像データは出力されない。したがって、この場合には、図１４（Ａ）に示すように、ＰＣ端末２００Ａ〜２００Ｄに表示されている画像はスクリーン６００に投影されない。
【００７５】
ＰＣ端末２００Ａ〜２００Ｄから情報処理装置４００に送信される画像データに特定信号が付加された場合には、合成部４４０により画像データが合成され、合成された画像データがプロジェクタ５００に出力される。図１４（Ｂ）に示す例では、ＰＣ端末２００Ａ〜２００Ｄからの画像データが合成され、ＰＣ端末２００Ａ〜２００Ｄに表示されている画像が全てスクリーン６００に投影されている。
【００７６】
なお、合成部４４０による画像データの合成は、図１４（Ｂ）に示すように、複数の画像データが均等に表示されるように合成してもよく、例えば優先順位、特定信号が付加された順番に基づいて、表示する大きさ、位置などを変えてもよい。
【００７７】
（画像データ出力処理５）
図１５は、実施形態における画像データ出力処理５のフローチャートを例示する図である。画像データ出力処理５では、情報処理装置４００から特定信号が付加されていない画像データを含む合成画像データがプロジェクタ５００に出力される。
【００７８】
情報処理装置４００に画像データが送信されると、まずステップＳ５０１にて、受信部４１０が画像データを受信し、ステップＳ５０２にて、特定信号解釈部４１１が特定信号の有無を判定する。
【００７９】
受信部４１０により受信された画像データに特定信号が付加されていない場合（ステップＳ５０２：ＮＯ）には、ステップＳ５０３にて、決定部４３０が記憶部４２０に保存されている画像データを取得する。次にステップＳ５０４にて、合成部４４０が、記憶部４２０から取得された画像データと、受信部４１０により受信された画像データとを合成する（パターン１）。
【００８０】
受信部４１０により受信された画像データに特定信号が付加されている場合（ステップＳ５０２：ＹＥＳ）には、ステップＳ５０７にて、受信部４１０が複数の画像データを受信したか否かを確認する。
【００８１】
受信部４１０により複数の画像データが受信されている場合（ステップＳ５０７：ＹＥＳ）には、ステップＳ５０８にて、特定信号解釈部４１１が、全ての画像データに特定信号が付加されているか否かを判定する。
【００８２】
全ての画像データに特定信号が付加されていない場合（ステップＳ５０８：ＮＯ）には、ステップＳ５０９にて、合成部４４０が、特定信号が付加されている画像データが大きく、特定信号が付加されていない画像データが小さく表示されるように、画像データを合成する（パターン２）。
【００８３】
全ての画像データに特定信号が付加されている場合（ステップＳ５０８：ＹＥＳ）には、ステップＳ５１０にて、合成部４４０が、受信部４１０により受信された画像データを合成する（パターン３）。
【００８４】
次にステップＳ５０５にて、出力部４５０が、合成部４４０により合成された画像データをプロジェクタ５００に出力する。続いてステップＳ５０６にて、受信部４１０が引き続き画像データを受信している場合には、ステップＳ５０２からの処理が再度実行される。クラウド１００、ＰＣ端末２００、タブレット端末３００からの画像データの送信が停止され、受信部４１０が画像データを受信していない場合（ステップＳ５０６：ＮＯ）には、画像データ出力処理５を終了する。
【００８５】
図１６は、画像データ出力処理５による画像表示例を示す図である。図１６に示す例では、情報処理装置４００にＰＣ端末２００Ａ，２００Ｂが接続され、ＰＣ端末２００Ａ，２００Ｂそれぞれから情報処理装置４００に画像データが送信されている。
【００８６】
図１６（Ａ）に示すように、ＰＣ端末２００Ａ，２００Ｂから特定信号が付加されていない画像データが情報処理装置４００に送信された場合には、例えば、記憶部４２０に記憶されている画像データが大きく表示され、ＰＣ端末２００Ａ，２００Ｂから送信された画像データが小さく表示されるように、合成部４４０により画像データが合成される（ステップＳ５０４：パターン１）。
【００８７】
プレゼンテーションを行うユーザは、例えば情報処理装置４００の記憶部４２０に自社の広告画像などを記憶させておき、広告を大きく表示させた状態で、小さく表示されているＰＣ端末２００Ａ，２００Ｂの画像を見ながら資料を準備することが可能になる。ユーザは、資料の準備などが整ったタイミングで画像データに特定信号を付加することで、広告画像に代えて資料の画像を大きく表示し、プレゼンテーションを開始できる。
【００８８】
図１６（Ｂ）に示すように、ＰＣ端末２００Ａから特定信号が付加された画像データが送信され、ＰＣ端末２００Ｂから特定信号が付加されていない画像データが送信された場合には、例えば、ＰＣ端末２００Ａの画像データが大きく、ＰＣ端末２００Ｂの画像データが小さく表示されるように、合成部４４０により画像データが合成される（ステップＳ５０９：パターン２）。
【００８９】
図１６（Ｃ）に示すように、ＰＣ端末２００Ａ，２００Ｂから特定信号が付加された画像データが送信された場合には、例えば、ＰＣ端末２００Ａ，２００Ｂの画像データが均等な大きさで表示されるように、合成部４４０により画像データが合成される（ステップＳ５１０：パターン３）。
【００９０】
なお、合成部４４０は、ＰＣ端末２００等から送信される画像データ、記憶部４２０に記憶されている画像データを、図１６に示す例とは異なる構成で表示されるように合成してもよい。
【００９１】
以上で説明したように、本実施形態に係る情報処理装置４００によれば、受信した画像データに付加されている特定信号の有無に応じて、プロジェクタ５００に出力する画像データが決定される。例えばＰＣ端末を用いてプレゼンテーションを行うユーザは、プロジェクタ５００により投影する資料に特定信号を付加しておくことで、誤って開いた資料がプロジェクタ５００により投影されることによる機密情報の漏洩などを防止できる。
【００９２】
なお、上記した情報処理装置４００が有する機能は、プロジェクタに設けられてもよい。図１７は、情報処理装置４００の機能を備えるプロジェクタ５０１を含む実施形態の全体構成を例示する図である。
【００９３】
図１７に示す構成では、クラウド１００、ＰＣ端末２００、タブレット端末３００がプロジェクタ５０１に接続され、プロジェクタ５０１において特定信号の有無に基づいて決定された画像データが、スクリーン６００に投影される。
【００９４】
図１８は、図１７に示す実施形態における機能構成を例示する図である。図１８に示すように、プロジェクタ５０１は、受信部４１０、記憶部４２０、決定部４３０、合成部４４０を有し、クラウド１００、ＰＣ端末２００及びタブレット端末３００の入力装置と情報処理システム７０１を構成する。プロジェクタ５０１は、上記した情報処理装置４００と同様に、特定信号の有無などに基づいて、投影する画像データを決定し、投影部５１１によりスクリーン６００に投影する。
【００９５】
図１７及び図１８に例示する構成であっても、情報処理装置４００を有する実施形態と同様に、ＰＣ端末２００などの入力装置において誤って開かれた資料が投影されることがなく、機密情報の漏洩などが防止される。
【００９６】
以上、実施形態に係る情報処理装置、画像表示装置、情報処理システム及び情報処理方法について説明したが、本発明は上記実施形態に限定されるものではなく、本発明の範囲内で種々の変形及び改良が可能である。
【符号の説明】
【００９７】
１００  クラウド（入力装置）
２００  ＰＣ端末（入力装置）
３００  タブレット端末（入力装置）
１１０，２１０，３１０  特定信号付加部
４００  情報処理装置
４１０  受信部
４２０  記憶部
４３０  決定部
４４０  合成部
４５０  出力部
５００，５０１  プロジェクタ（画像表示装置）
５１１  投影部（表示手段）
７００，７０１  情報処理システム
【先行技術文献】
【特許文献】
【００９８】
【特許文献１】特許第３７０７４０７号公報
【図１】
2014225863.tif 000003
【図２】
2014225863.tif 000004
【図３】
2014225863.tif 000005
【図４】
2014225863.tif 000006
【図５】
2014225863.tif 000007
【図６】
2014225863.tif 000008
【図７】
2014225863.tif 000009
【図８】
2014225863.tif 000010
【図９】
2014225863.tif 000011
【図１０】
2014225863.tif 000012
【図１１】
2014225863.tif 000013
【図１２】
2014225863.tif 000014
【図１３】
2014225863.tif 000015
【図１４】
2014225863.tif 000016
【図１５】
2014225863.tif 000017
【図１６】
2014225863.tif 000018
【図１７】
2014225863.tif 000019
【図１８】
2014225863.tif 000020